(57)【特許請求の範囲】
【請求項１】
緊急サービスユーザの呼び出し方法であって、当該方法は、
移動性管理ユニットがコアネットワークにおいて呼び出し最適化をサポートするように構成される場合に、UEが緊急搬送サービスを有する場合、前記移動性管理ユニットが、呼び出し最適化を実行しないことを含むことを特徴とする緊急サービスユーザの呼び出し方法。
【請求項２】
前記UEが緊急搬送サービスを有する場合、呼び出し最適化を利用するように構成された前記移動性管理ユニットが呼び出し最適化を実行しないことは、
コアネットワークゲートウェイが、ユーザ装置（UE）に送信しようとするダウンリンクデータパケットを受信した後、前記ダウンリンクデータパケットによって搬送されたサービスデータが緊急サービスデータである場合、移動性管理ユニットに通知すること、
呼び出し最適化を利用するように構成された前記移動性管理ユニットが、UEに送信しようとする緊急サービスデータがあることを認識した後、呼び出しメッセージを前記UEによって新規登録された呼び出しトラッキングリストにおける、権限付与なしの前記UEの閉鎖モード家庭用基地局を含む全ての基地局に送信すること、
前記閉鎖モード家庭用基地局が、前記UEを呼び出すことであることを特徴とする
請求項１に記載の方法。
【請求項３】
前記UEが緊急搬送サービスを有する場合、呼び出し最適化を利用するように構成された前記移動性管理ユニットが呼び出し最適化を実行しないことは、
コアネットワークゲートウェイが、UEに送信しようとするダウンリンクデータパケットを受信した後、前記ダウンリンクデータパケットによって搬送されたサービスデータが緊急サービスデータである場合、移動性管理ユニットに通知すること、
前記移動性管理ユニットが、UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知すること、
呼び出し最適化を利用するように構成された前記家庭用基地局ゲートウェイが、前記呼び出しメッセージ中のトラッキングエリアにおける、権限付与なしの前記UEの閉鎖モード家庭用基地局を含む全ての基地局を呼び出すこと、
前記閉鎖モード家庭用基地局が、前記UEを呼び出すことであることを特徴とする
請求項１に記載の方法。
【請求項４】
前記UEが緊急搬送サービスを有する場合、呼び出し最適化を利用するように構成された前記移動性管理ユニットが呼び出し最適化を実行しないことは、
呼び出し最適化を利用するように構成された移動性管理ユニットが、UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信すること、
前記権限付与なしの前記UEの閉鎖モード家庭用基地局が、前記UEを呼び出すことであることを特徴とする
請求項１に記載の方法。
【請求項５】
前記UEが緊急搬送サービスを有する場合、呼び出し最適化を利用するように構成された前記移動性管理ユニットが呼び出し最適化を実行しないことは、
移動性管理ユニットが、コアネットワークゲートウェイから送信されたダウンリンクデータ通知を受信した後、前記UEの現在のサービスタイプを検査し、前記UEが現在緊急サービスを有することを発見した場合、前記UEによって新規登録されたトラッキングエリアリストにおける全ての家庭用基地局ゲートウェイを呼び出し、且つ呼び出しメッセージに緊急指示を含むこと、
呼び出し最適化を利用するように構成された前記家庭用基地局ゲートウェイが、移動性管理ユニットから送信された呼び出しメッセージを受信した後、その中の緊急指示に応じて、前記呼び出しメッセージ中のトラッキングエリアにおける、権限付与なしの当該UEの閉鎖モード家庭用基地局を含む全ての基地局を呼び出すこと、
前記閉鎖モード家庭用基地局が、前記UEを呼び出すことであることを特徴とする
請求項１に記載の方法。
【請求項６】
緊急サービスユーザの呼び出し方法であって、当該方法は、
コアネットワークゲートウェイが、ユーザ装置（UE）に送信しようとするダウンリンクデータパケットを受信した後、前記ダウンリンクデータパケットによって搬送されたサービスデータが緊急サービスデータである場合、移動性管理ユニットに通知するステップと、
呼び出し最適化を利用するように構成された前記移動性管理ユニットが、UEに送信しようとする緊急サービスデータがあることを認識した後、呼び出しメッセージを前記UEによって新規登録された呼び出しトラッキングリストにおける、権限付与なしの前記UEの閉鎖モード家庭用基地局を含む全ての基地局に送信するステップと、
前記閉鎖モード家庭用基地局が、前記UEを呼び出すステップとを含むことを特徴とする緊急サービスユーザの呼び出し方法。
【請求項７】
前記コアネットワークゲートウェイは、緊急指示を含むダウンリンクデータ通知を前記移動性管理ユニットに送信することで、UEに送信しようとする緊急サービスデータがあることを前記移動性管理ユニットに通知することを特徴とする
請求項６に記載の方法。
【請求項８】
前記コアネットワークゲートウェイは、システムアーキテクチャエボリューションゲートウェイ（SAE−GW）であり、
前記移動性管理ユニットは、移動性管理エンティティ（MME）であることを特徴とする
請求項６に記載の方法。
【請求項９】
緊急サービスユーザの呼び出し方法であって、当該方法は、
コアネットワークゲートウェイが、UEに送信しようとするダウンリンクデータパケットを受信した後、前記ダウンリンクデータパケットによって搬送されたサービスデータが緊急サービスデータである場合、移動性管理ユニットに通知するステップと、
前記移動性管理ユニットが、UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知するステップと、
呼び出し最適化を利用するように構成された前記家庭用基地局ゲートウェイが、前記呼び出しメッセージ中のトラッキングエリアにおける、権限付与なしの当該UEの閉鎖モード家庭用基地局を含む全ての基地局を呼び出すステップと、
前記閉鎖モード家庭用基地局が、前記UEを呼び出すステップとを含むことを特徴とする緊急サービスユーザの呼び出し方法。
【請求項１０】
前記コアネットワークゲートウェイは、緊急指示を含むダウンリンクデータ通知を前記移動性管理ユニットに送信することで、UEに送信しようとする緊急サービスデータがあることを前記移動性管理ユニットに通知することを特徴とする
請求項９に記載の方法。
【請求項１１】
前記移動性管理ユニットは、前記呼び出しメッセージに緊急指示を含み、前記家庭用基地局ゲートウェイに送信し、UEに送信しようとする緊急サービスデータがあることを前記家庭用基地局ゲートウェイに通知することであり、
前記呼び出しメッセージは、前記UEによって新規登録されたトラッキングエリアリストにおける前記家庭用基地局ゲートウェイが位置するトラッキングエリアを更に含むことを特徴とする
請求項９に記載の方法。
【請求項１２】
呼び出し最適化を利用するように構成された前記家庭用基地局ゲートウェイが前記呼び出しメッセージ中のトラッキングエリアにおける全ての基地局を呼び出すステップは、具体的に、
呼び出し最適化を利用するように構成された前記家庭用基地局ゲートウェイが、前記呼び出しメッセージにおける緊急指示に応じて、UEに送信しようとする緊急サービスデータがあることを認識するステップと、
前記家庭用基地局ゲートウェイが、前記呼び出しメッセージ中の前記トラッキングエリアにおける全ての基地局を呼び出すステップとを含むことを特徴とする
請求項１１に記載の方法。
【請求項１３】
ロング・ターム・エボリューション（LTE）へアクセスする場合、
前記コアネットワークゲートウェイは、SAE-GWであり、前記移動性管理ユニットは、MMEであり、
3Gへアクセスする場合、
前記コアネットワークゲートウェイは、ゲートウェイGPRSサポートノード（GGSN）であり、前記移動性管理ユニットは、サービングGPRSサポートノード（SGSN）であることを特徴とする
請求項９に記載の方法。
【請求項１４】
緊急サービスユーザの呼び出し方法であって、当該方法は、
呼び出し最適化を利用するように構成された移動性管理ユニットが、UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信するステップと、
前記権限付与なしの前記UEの閉鎖モード家庭用基地局が、前記UEを呼び出すステップとを含むことを特徴とする緊急サービスユーザの呼び出し方法。
【請求項１５】
緊急サービスユーザの呼び出し方法であって、当該方法は、
移動性管理ユニットが、コアネットワークゲートウェイから送信されたダウンリンクデータ通知を受信した場合、前記UEの現在のサービスタイプを検査し、前記UEが現在緊急サービスを有することを発見した場合、前記UEによって新規登録されたトラッキングエリアリストにおける全ての家庭用基地局ゲートウェイを呼び出し、且つ呼び出しメッセージに緊急指示を含むステップと、
呼び出し最適化を利用するように構成された家庭用基地局ゲートウェイが、移動性管理ユニットから送信された呼び出しメッセージを受信した後、その中の緊急指示に応じて、前記呼び出しメッセージ中のトラッキングエリアにおける、権限付与なしの当該UEの閉鎖モード家庭用基地局を含む全ての基地局を呼び出すステップと、
前記閉鎖モード家庭用基地局が、前記UEを呼び出すステップとを含むことを特徴とする緊急サービスユーザの呼び出し方法。
【請求項１６】
緊急サービスユーザの呼び出しシステムであって、
UEに送信しようとするダウンリンクデータパケットを受信した後、前記ダウンリンクデータパケットによって搬送されたサービスデータが緊急サービスデータである場合、移動性管理ユニットに通知することに用いられるコアネットワークゲートウェイと、
UEに送信しようとする緊急サービスデータがあることを認識した後、呼び出しメッセージを送信して、前記UEによって新規登録された呼び出しトラッキングリストにおける、権限付与なしの前記UEの閉鎖モード家庭用基地局を含む全ての基地局を呼び出すことに用いられる、呼び出し最適化を利用するように構成される移動性管理ユニットと、
受信された呼び出しメッセージに応じて、前記UEを呼び出すことに用いられる閉鎖モード家庭用基地局とを含むことを特徴とする緊急サービスユーザの呼び出しシステム。
【請求項１７】
前記コアネットワークゲートウェイは、
緊急指示を含むダウンリンクデータ通知を前記移動性管理ユニットに送信することで、UEに送信しようとする緊急サービスデータがあることを前記移動性管理ユニットに通知することに更に用いられることを特徴とする
請求項１６に記載のシステム。
【請求項１８】
緊急サービスユーザの呼び出しシステムであって、
UEに送信しようとするダウンリンクデータパケットを受信した後、前記ダウンリンクデータパケットによって搬送されたサービスデータが緊急サービスデータである場合、移動性管理ユニットに通知することに用いられるコアネットワークゲートウェイと、
UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知することに用いられる前記移動性管理ユニットと、
受信された呼び出しメッセージに応じて、呼び出しメッセージを送信して、権限付与なしの前記UE閉鎖モード家庭用基地局を含む対応する基地局を呼び出すことに用いられる、呼び出し最適化を利用するように構成される前記家庭用基地局と、
受信された呼び出しメッセージに応じて、前記UEを呼び出すことに用いられる閉鎖モード家庭用基地局とを含むことを特徴とする緊急サービスユーザの呼び出しシステム。
【請求項１９】
前記コアネットワークゲートウェイは、
緊急指示を含むダウンリンクデータ通知を前記移動性管理ユニットに送信し、UEに送信しようとする緊急サービスデータがあることを前記移動性管理ユニットに通知することに更に用いられることを特徴とする
請求項１８に記載のシステム。
【請求項２０】
前記移動性管理ユニットは、
前記呼び出しメッセージに緊急指示及び前記UEによって新規登録されたトラッキングエリアリストにおける前記家庭用基地局ゲートウェイが位置するトラッキングエリアを含んで、前記家庭用基地局ゲートウェイに送信し、UEに送信しようとする緊急サービスデータがあることを前記家庭用基地局ゲートウェイに通知することに更に用いられ、
前記家庭用基地局ゲートウェイは、
前記呼び出しメッセージ中の緊急指示に応じて、UEに送信しようとする緊急サービスデータがあることを認識し、且つ前記呼び出しメッセージ中の前記トラッキングエリアにおける全ての基地局を呼び出すことに更に用いられることを特徴とする
請求項１８に記載のシステム。
【請求項２１】
緊急サービスユーザの呼び出しシステムであって、
UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信することに用いられる、呼び出し最適化を利用するように構成される移動性管理ユニットと、
受信された呼び出しメッセージに応じて、前記UEを呼び出すことに用いられる閉鎖モード家庭用基地局とを含むことを特徴とする緊急サービスユーザの呼び出しシステム。
【請求項２２】
緊急サービスユーザの呼び出しシステムであって、
コアネットワークゲートウェイと、
コアネットワークゲートウェイから送信されたダウンリンクデータ通知を受信した後、前記UEの現在のサービスタイプを検査し、前記UEが現在緊急サービスを有することを発見した場合、UEによって新規登録されたトラッキングエリアリストにおける全ての家庭用基地局ゲートウェイを呼び出し、且つ呼び出しメッセージに緊急指示を含むことに用いられる移動性管理ユニットと、
前記呼び出しメッセージを受信した後、その中の緊急指示に応じて、前記呼び出しメッセージ中のトラッキングエリアにおける、権限付与なしの当該UEの閉鎖モード家庭用基地局を含む全ての基地局を呼び出すことに用いられる、呼び出し最適化を利用するように構成される家庭用基地局ゲートウェイと、
受信された呼び出しメッセージに応じて、前記UEを呼び出すことに用いられる閉鎖モード家庭用基地局とを含むことを特徴とする緊急サービスユーザの呼び出しシステム。
【発明の詳細な説明】
【技術分野】
【０００１】
本発明は、通信における呼び出しサービス分野に関し、特に、家庭用基地局のシステムアーキテクチャにおける緊急サービスユーザの呼び出し方法及び呼び出しシステムに関する。
【背景技術】
【０００２】
家庭用基地局は、小型、低パワーの基地局であって、家庭及びオフィス等の室内環境に構成され、主な役割は、より高いサービス率をユーザーに提供しながら高速度サービスの使用に必要なコストを低減するとともに、既存の分散型セルラー無線通信システムにおけるカバー不足を補うために用いられる。家庭用基地局の利点は、実用、便利、低パワー出力、プラグ・アンド・プレイ、ブロードバンドアクセス、シングルモード端末利用等である。
【０００３】
家庭用基地局は、第３世代（3 Generation：3G）又はロング・ターム・エボリューション（Long Term Evolution：LTE）移動通信ネットワークに応用されることができる。家庭用基地局は、3Gネットワークに応用される場合、ホームノードB（Home Node B：HNB）と略称され、LTEネットワークに応用される場合、ホーム進化型ノードB（Home Evolved Node B：HeNB）と略称される。家庭用基地局に対する管理が便利となるように、無線アクセスネットワークに１つの新しいネットワークエレメント、即ち家庭用基地局ゲートウェイが導入される。家庭用基地局ゲートウェイは、主に、家庭用基地局の安全性の検証、家庭用基地局の新規登録の処理、家庭用基地局に対する保守・管理、事業者の要求に応じて家庭用基地局に対する構成及び制御、コアネットワークと家庭用基地局とのデータ交換という機能を実行する。図１は、3G家庭用基地局ネットワークアーキテクチャである。3G家庭用基地局（HNB）は、新規に定義されたIuhインターフェースを介して、コアネットワークのパケット交換ドメイン及び回線交換ドメインへのIuPS及びIuCsインターフェースを提供する家庭用基地局ゲートウェイ（HNB GW）に接続される。3Gネットワークに対しては、家庭用ゲートウェイが必要な構成であって、家庭用基地局の導入によるユーザー装置（User Equipment：UE）及びネットワーク側に対する影響を遮蔽することに用いられる。LTEネットワークに対しては、家庭用基地局ゲートウェイが選択可能な構成であって、これによって、LTE家庭用基地局とコアネットワークとの接続は、図２、３に示すように、家庭用基地局がコアネットワークのネットワークエレメントに直接に接続するモード、及び家庭用基地局がゲートウェイを介してコアネットワークのネットワークエレメントと接続するモードという２種類のモードがある。図３に示す家庭用基地局ゲートウェイが導入される場面に対して、家庭用基地局ゲートウェイは、ユーザインターフェース機能を統合化しなくてもよい、図４示すように、家庭用基地局とコアネットワークユーザインターフェースゲートウェイとの間にユーザインターフェースを直接に確立し、これによって、ユーザインターフェースをフラット化にさせ、データ伝送遅延を低減させる。
【０００４】
図１におけるパケット交換ドメインは、サービングGPRSサポートノード（SERVICE GPRS SUPPORT NODE：SGSN）とGGSN（ゲートウェイGPRSサポートノード）とを含む。
【０００５】
図２、３、４におけるコアネットワークゲートウェイは、ユーザインターフェースゲートウェイ、即ちシステムアーキテクチャエボリューションゲートウェイ（System Architecture Evolution Gateway：SAE-GW）とも称され、サービングゲートウェイ（Serving Gateway ：S-GW）とパケットデータネットワークゲートウェイ（Packet Date Network Gateway ：P-GW）とを含む。
【０００６】
クローズド加入者グループ（Closed Subscriber Group：CSG）は、家庭用基地局を導入してから提案された概念である。一般的に、１つの家庭又は１つの企業内部のユーザから１つのクローズド加入者グループが構成され、このクローズド加入者グループは、CSG IDで識別される。このクローズド加入者グループ内のユーザにサービスするための家庭用基地局は、同じCSG IDを有する。ユーザは、事業者との契約を介して、複数のクローズド加入者グループに対応する家庭用基地局、例えばユーザのオフィス、家庭等にアクセスすることができる。従って、許可クローズド加入者グループリストの概念が導入され、このリストは、UEとネットワーク側のホームユーザーデータサーバーに保存されている。ここで、LTEネットワークに対して、ネットワーク側のホームユーザーデータサーバーは、ホーム加入者サーバー（Home Subscriber Server：HSS）であり、3Gネットワークに対して、ネットワーク側のホームユーザーデータサーバーは、ホームロケーションレジスタ（Home Location Register：HLR）である。UEは、主に、このリストを利用して無線セルの選択を行い、家庭用基地局は、放送の方式でその所属するCSG ID及び使用モードをUEに通知し、UEは、放送メッセージを取得した後、この基地局が閉鎖使用モードであり且つCSG IDがUE自体に保存された許可クローズド加入者グループリストに位置しないと認識した場合、UEは、当該家庭用基地局セルがアクセスに適合しないと認識し、自動的にアクセスに適合する他のセルを選択し、このような方式を介して、UEが頻繁にアクセスを試みることを避けて、電池及びエアインターフェースリソースの消耗を低減させることができる。UEが初期化アクセスを行う場合、ネットワーク側のホームユーザーデータサーバーは、ユーザによって契約された許可クローズド加入者グループリストをコアネットワークの移動性管理ユニットに送信し、コアネットワークの移動性管理ユニットはこのリストを利用してUEに対してアクセス制御を行う。ここで、3Gに対して、移動性管理ユニットは、SGSNであり、LTEに対して、移動性管理ユニットは、移動性管理エンティティ（Mobility Management Entity：MME）である。UEが権限付与なしの閉鎖モードでの家庭用基地局からコアネットワークにアクセスする場合、コアネットワークは、このようなUEのアクセスを拒否することがある。一般的な基地局とする家庭用基地局のアクセスモードは開放（OPEN）モードである。当該モードで、家庭用基地局は、いずれかのUEによってアクセスされてよい、このようなモードでアクセスされたUEに対して、移動性管理ユニットは、アクセスされたUEに対してアクセス制御を行う必要もない。同様に、家庭用基地局は、一部のUEに対して閉鎖アクセスモードを用い、一部のUEに対して開放アクセスモードを用いるハイブリッドモードを有する。
【０００７】
UEがアイドル状態にある場合に、UEと基地局との間のエアインターフェース接続が解放され、ネットワークを介してUEに送信する外部データがある場合、MME／SGSNは、当該UEにエアインターフェース接続を確立するように通知するために、UEによって現在位置されるトラッキングエリアリスト（TA List）における基地局に当該UEを呼び出すように通知する必要がある。家庭用基地局ゲートウェイが存在する場合、MME／SGSNは、家庭用基地局ゲートウェイが基地局にUEを呼び出すように通知することを家庭用基地局ゲートウェイに通知する必要がある。異なるネットワークアーキテクチャに応じて、MMEが家庭用基地局に直接接続する場合、MMEは、家庭用基地局のアクセスモードを知っている。MME／SGSNが家庭用基地局ゲートウェイを介して家庭用基地局と接続する場合、MME／SGSNは、当該家庭用基地局のアクセスモードを知らず、家庭用基地局ゲートウェイのみが当該家庭用基地局のアクセスモードを知っている。
【０００８】
家庭用基地局がMMEに直接接続する場面において、呼び出しによる資源浪費を低減させるために、呼び出し最適化を利用でき、即ち、閉鎖モード家庭用基地局に対して、権限付与なしのUEを呼び出すことをそれに通知する必要がない。即ち、セルが閉鎖モードでのCSGセルであり且つUEが当該CSGセルのCSG契約を有しないような基地局を呼び出さない。本願において、上記の基地局は、権限付与なしの当該UEの閉鎖モード家庭用基地局と称される。家庭用基地局が家庭用基地局ゲートウェイ（HeNB GW/HNB GW）を介してMME／SGSNと接続する場合、MME／SGSNは、UEの許可クローズド加入者グループリストを含む呼び出しメッセージを家庭用基地局ゲートウェイに送信し、家庭用基地局ゲートウェイは、呼び出し最適化を利用することを決定し、即ち閉鎖モード家庭用基地局に対して、権限付与なしのUEを呼び出すことをそれに通知する必要がない。
【０００９】
緊急サービスを利用するユーザに対して、緊急サービスを提供するための家庭用基地局をアクセスすることができ、この時、以下の二つの場面がある。
【００１０】
１、UEが、正常にサービスが動作している基地局において、正常にネットワークに接続し、その後、緊急サービスを確立し、緊急サービスが完了された後、UEが、アイドル（idle）状態に進み、この時、UEが移動して、１つの閉鎖家庭用基地局に移動し、当該家庭用基地局のCSG IDが当該UEの許可クローズド加入者グループリストに位置しないが、当該家庭用基地局が、放送メッセージにおいて緊急サービスを提供できることを示すため、UEは、当該CSG Cellに常駐することを選択する。
【００１１】
２、UEは、閉鎖家庭用基地局でパワーオンし、当該家庭用基地局のCSG IDが当該UEの許可クローズド加入者グループリストに位置しないが、当該家庭用基地局が放送メッセージにおいて、緊急サービスを提供できることを示すため、UEが、ネットワークへの緊急接続を開始し、緊急サービスが完了させた後、UEが、アイドル（idle）状態に進む。
【００１２】
上記の二つの場面において、緊急サービスを有するUEは、権限付与なしの閉鎖モード家庭用基地局に常駐することができ、従来の技術における呼び出し最適化方法に従って、MME／SGSN又は家庭用基地局ゲートウェイ（HeNB GW/HNB GW）は、当該家庭用基地局にUEを呼び出すように通知しないため、当該UEを呼び出すことができない、通信が失敗することを引き起こす。
【発明の概要】
【発明が解決しようとする課題】
【００１３】
本発明が解決しようとする技術的な課題は、アイドル状態にある、緊急サービスを有するUEが呼び出されることができるように、緊急サービスユーザの呼び出し方法及び呼び出しシステムを提供することにある。
【課題を解決するための手段】
【００１４】
上記技術的な課題を解決するために、本発明に係る緊急サービスユーザの呼び出し方法は、移動性管理ユニットがコアネットワークにおいて呼び出し最適化をサポートするように構成される場合、UEが緊急搬送サービスを有する場合、前記移動性管理ユニットが、呼び出し最適化を実行しないことを含む。
【００１５】
前記UEが緊急搬送サービスを有する場合、呼び出し最適化を利用するように構成された前記移動性管理ユニットが呼び出し最適化を実行しないことは、
コアネットワークゲートウェイが、ユーザ装置（UE）に送信しようとするダウンリンクデータパケットを受信した後、前記ダウンリンクデータパケットによって搬送されたサービスデータが緊急サービスデータである場合、移動性管理ユニットに通知すること、
呼び出し最適化を利用するように構成された前記移動性管理ユニットが、UEに送信しようとする緊急サービスデータがあることを認識した後、呼び出しメッセージを前記UEによって新規登録された呼び出しトラッキングリストにおける、権限付与なしの前記UEの閉鎖モード家庭用基地局を含む全ての基地局に送信すること、
前記閉鎖モード家庭用基地局が、前記UEを呼び出すことである。
【００１６】
前記UEが緊急搬送サービスを有する場合、呼び出し最適化を利用するように構成された前記移動性管理ユニットが呼び出し最適化を実行しないことは、
コアネットワークゲートウェイが、UEに送信しようとするダウンリンクデータパケットを受信した後、前記ダウンリンクデータパケットによって搬送されたサービスデータが緊急サービスデータである場合、移動性管理ユニットに通知すること、
前記移動性管理ユニットが、UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知すること、
呼び出し最適化を利用するように構成された前記家庭用基地局ゲートウェイが、前記呼び出しメッセージ中のトラッキングエリアにおける、権限付与なしの前記UEの閉鎖モード家庭用基地局を含む全ての基地局を呼び出すこと、
前記閉鎖モード家庭用基地局が、前記UEを呼び出すことである。
【００１７】
前記UEが緊急搬送サービスを有する場合、呼び出し最適化を利用するように構成された前記移動性管理ユニットが呼び出し最適化を実行しないことは、
呼び出し最適化を利用するように構成された移動性管理ユニットが、UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信すること、
前記権限付与なしの前記UEの閉鎖モード家庭用基地局が、前記UEを呼び出すことである。
【００１８】
前記UEが緊急搬送サービスを有する場合、呼び出し最適化を利用するように構成された前記移動性管理ユニットが呼び出し最適化を実行しないことは、
移動性管理ユニットが、コアネットワークゲートウェイから送信されたダウンリンクデータ通知を受信した後、前記UEの現在のサービスタイプを検査し、前記UEが現在緊急サービスを有することを発見した場合、前記UEによって新規登録されたトラッキングエリアリストにおける全ての家庭用基地局ゲートウェイを呼び出し、且つ呼び出しメッセージに緊急指示を含むこと、
呼び出し最適化を利用するように構成された前記家庭用基地局ゲートウェイが、移動性管理ユニットから送信された呼び出しメッセージを受信した後、その中の緊急指示に応じて、前記呼び出しメッセージ中のトラッキングエリアにおける、権限付与なしの当該UEの閉鎖モード家庭用基地局を含む全ての基地局を呼び出すこと、
前記閉鎖モード家庭用基地局が、前記UEを呼び出すことである。
【００１９】
上記技術的な課題を解決するために、本発明に係る緊急サービスユーザの呼び出し方法は、
コアネットワークゲートウェイが、ユーザ装置（UE）に送信しようとするダウンリンクデータパケットを受信した後、前記ダウンリンクデータパケットによって搬送されたサービスデータが緊急サービスデータである場合、移動性管理ユニットに通知することと、
呼び出し最適化を利用するように構成された前記移動性管理ユニットが、UEに送信しようとする緊急サービスデータがあることを認識した後、呼び出しメッセージを前記UEによって新規登録された呼び出しトラッキングリストにおける、権限付与なしの前記UEの閉鎖モード家庭用基地局を含む全ての基地局に送信することと、
前記閉鎖モード家庭用基地局が、前記UEを呼び出すこととを含む。
【００２０】
前記方法は、以下のような特徴を更に含む。
【００２１】
前記コアネットワークゲートウェイは、緊急指示を含むダウンリンクデータ通知を前記移動性管理ユニットに送信することで、UEに送信しようとする緊急サービスデータがあることを前記移動性管理ユニットに通知する。
【００２２】
前記方法は、以下のような特徴を更に含む。
【００２３】
前記コアネットワークゲートウェイは、システムアーキテクチャエボリューションゲートウェイ（SAE−GW）であり、前記移動性管理ユニットは、移動性管理エンティティ（MME）である。
【００２４】
上記技術的な課題を解決するために、本発明に係る緊急サービスユーザの呼び出し方法は、
コアネットワークゲートウェイが、UEに送信しようとするダウンリンクデータパケットを受信した後、前記ダウンリンクデータパケットによって搬送されたサービスデータが緊急サービスデータである場合、移動性管理ユニットに通知することと、
前記移動性管理ユニットが、UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知することと、
呼び出し最適化を利用するように構成された前記家庭用基地局ゲートウェイが、前記呼び出しメッセージ中のトラッキングエリアにおける、権限付与なしの前記UEの閉鎖モード家庭用基地局を含む全ての基地局を呼び出すことと、
前記閉鎖モード家庭用基地局が、前記UEを呼び出すこととを含む。
【００２５】
前記方法は、以下のような特徴を更に含む。
【００２６】
前記コアネットワークゲートウェイは、緊急指示を含むダウンリンクデータ通知を前記移動性管理ユニットに送信することで、UEに送信しようとする緊急サービスデータがあることを前記移動性管理ユニットに通知する。
【００２７】
前記方法は、以下のような特徴を更に含む。
【００２８】
前記移動性管理ユニットは、前記呼び出しメッセージに緊急指示を含み、前記家庭用基地局ゲートウェイに送信し、UEに送信しようとする緊急サービスデータがあることを前記家庭用基地局ゲートウェイに通知する。
【００２９】
前記呼び出しメッセージは、前記UEによって新規登録されたトラッキングエリアリストにおける前記家庭用基地局ゲートウェイが位置するトラッキングエリアを更に含む。
【００３０】
前記方法は、以下のような特徴を更に含む。
【００３１】
呼び出し最適化を利用するように構成された前記家庭用基地局ゲートウェイが前記呼び出しメッセージ中のトラッキングエリアにおける全ての基地局を呼び出すステップは、具体的に、
呼び出し最適化を利用するように構成された前記家庭用基地局ゲートウェイが、前記呼び出しメッセージ中の緊急指示に応じて、UEに送信しようとする緊急サービスデータがあることを認識するステップと、
前記家庭用基地局ゲートウェイが、前記呼び出しメッセージ中の前記トラッキングエリアにおける全ての基地局を呼び出すステップとを含む。
【００３２】
前記方法は、以下のような特徴を更に含む。
【００３３】
ロング・ターム・エボリューション（LTE）がアクセスする場合、前記コアネットワークゲートウェイは、SAE-GWであり、前記移動性管理ユニットは、MMEである。
【００３４】
3Gがアクセスする場合、前記コアネットワークゲートウェイは、ゲートウェイGPRSサポートノード（GGSN）であり、前記移動性管理ユニットは、サービングGPRSサポートノード（SGSN）である。
【００３５】
上記技術的な課題を解決するために、本発明に係る緊急サービスユーザの呼び出し方法は、
呼び出し最適化を利用するように構成された移動性管理ユニットが、UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信することと、
前記権限付与なしの前記UEの閉鎖モード家庭用基地局が、前記UEを呼び出すこととを含む。
【００３６】
上記技術的な課題を解決するために、本発明に係る緊急サービスユーザの呼び出し方法は、
移動性管理ユニットが、コアネットワークゲートウェイから送信されたダウンリンクデータ通知を受信した場合、前記UEの現在のサービスタイプを検査し、前記UEが現在緊急サービスを有することを発見した場合、前記UEによって新規登録されたトラッキングエリアリストにおける全ての家庭用基地局ゲートウェイを呼び出し、且つ呼び出しメッセージに緊急指示を含むことと、
呼び出し最適化を利用するように構成された家庭用基地局ゲートウェイが、移動性管理ユニットから送信された呼び出しメッセージを受信した後、その中の緊急指示に応じて、前記呼び出しメッセージ中のトラッキングエリアにおける、権限付与なしの当該UEの閉鎖モード家庭用基地局を含む全ての基地局を呼び出すことと、
前記閉鎖モード家庭用基地局が、前記UEを呼び出すこととを含む。
【００３７】
上記技術的な課題を解決するために、本発明に係る緊急サービスユーザの呼び出しシステムは、
UEに送信しようとするダウンリンクデータパケットを受信した後、前記ダウンリンクデータパケットによって搬送されたサービスデータが緊急サービスデータである場合、移動性管理ユニットに通知することに用いられるコアネットワークゲートウェイと、
UEに送信しようとする緊急サービスデータがあることを認識した後、呼び出しメッセージを送信して、前記UEによって新規登録された呼び出しトラッキングリストにおける、権限付与なしの前記UEの閉鎖モード家庭用基地局を含む全ての基地局を呼び出すことに用いられる、呼び出し最適化を利用するように構成される移動性管理ユニットと、
受信された呼び出しメッセージに応じて、前記UEを呼び出すことに用いられる閉鎖モード家庭用基地局とを含む。
【００３８】
前記システムは、以下のような特徴を更に含む。
【００３９】
前記コアネットワークゲートウェイは、緊急指示を含むダウンリンクデータ通知を前記移動性管理ユニットに送信することで、UEに送信しようとする緊急サービスデータがあることを前記移動性管理ユニットに通知することに更に用いられる。
【００４０】
上記技術的な課題を解決するために、本発明に係る緊急サービスユーザの呼び出しシステムは、
UEに送信しようとするダウンリンクデータパケットを受信した後、前記ダウンリンクデータパケットによって搬送されたサービスデータが緊急サービスデータである場合、移動性管理ユニットに通知することに用いられるコアネットワークゲートウェイと、
UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知することに用いられる移動性管理ユニットと、
受信された呼び出しメッセージに応じて、呼び出しメッセージを送信して、権限付与なしの前記UE閉鎖モード家庭用基地局を含む対応する基地局を呼び出すことに用いられる、呼び出し最適化を再利用するように構成される家庭用基地局と、
受信された呼び出しメッセージに応じて、前記UEを呼び出すことに用いられる閉鎖モード家庭用基地局とを含む。
【００４１】
前記システムは、以下のような特徴を更に含む。
【００４２】
前記コアネットワークゲートウェイは、緊急指示を含むダウンリンクデータ通知を前記移動性管理ユニットに送信し、UEに送信しようとする緊急サービスデータがあることを前記移動性管理ユニットに通知することに更に用いられる。
【００４３】
前記システムは、以下のような特徴を更に含む。
【００４４】
前記移動性管理ユニットは、前記呼び出しメッセージに緊急指示及び前記UEによって新規登録されたトラッキングエリアリストにおける前記家庭用基地局ゲートウェイが位置するトラッキングエリアを含んで、前記家庭用基地局ゲートウェイに送信し、UEに送信しようとする緊急サービスデータがあることを前記家庭用基地局ゲートウェイに通知することに更に用いられる。
【００４５】
前記家庭用基地局ゲートウェイは、前記呼び出しメッセージ中の緊急指示に応じて、UEに送信しようとする緊急サービスデータがあることを認識し、且つ前記呼び出しメッセージ中の前記トラッキングエリアにおける全ての基地局を呼び出すことに更に用いられる。
【００４６】
上記技術的な課題を解決するために、本発明に係る緊急サービスユーザの呼び出しシステムは、
UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信することに用いられる、呼び出し最適化を利用するように構成される移動性管理ユニットと、
受信された呼び出しメッセージに応じて、前記UEを呼び出すことに用いられる閉鎖モード家庭用基地局とを含む。
【００４７】
上記技術的な課題を解決するために、本発明に係る緊急サービスユーザの呼び出しシステムは、
コアネットワークゲートウェイと、
コアネットワークゲートウェイから送信されたダウンリンクデータ通知を受信した後、前記UEの現在のサービスタイプを検査し、前記UEが現在緊急サービスを有することを発見した場合、UEによって新規登録されたトラッキングエリアリストにおける全ての家庭用基地局ゲートウェイを呼び出し、且つ呼び出しメッセージに緊急指示を含むことに用いられる移動性管理ユニットと、
前記呼び出しメッセージを受信した後、その中の緊急指示に応じて、前記呼び出しメッセージ中のトラッキングエリアにおける、権限付与なしの当該UEの閉鎖モード家庭用基地局を含む全ての基地局を呼び出すことに用いられる、呼び出し最適化を利用するように構成される家庭用基地局ゲートウェイと、
受信された呼び出しメッセージに応じて、前記UEを呼び出すことに用いられる閉鎖モード家庭用基地局とを含む。
【発明の効果】
【００４８】
本発明によれば、呼び出し最適化を利用する移動性管理エンティティ及び家庭用基地局ゲートウェイが緊急サービスを利用するUEを呼び出すことができない問題を解決し、通信確立の成功率及びユーザ体験を向上させる。
【図面の簡単な説明】
【００４９】
【図１】3G家庭用基地局ネットワークアーキテクチャである。
【図２】家庭用基地局とコアネットワークエレメントが直接接続するLTE家庭用基地局ネットワークアーキテクチャである。
【図３】家庭用基地局がゲートウェイを介してコアネットワークエレメントと接続するLTE家庭用基地局ネットワークアーキテクチャである。
【図４】家庭用基地局がゲートウェイを介してコアネットワークエレメントと接続し、且つ家庭用基地局ゲートウェイがユーザインターフェース機能を統合化しなくてもよいLTE家庭用基地局ネットワークアーキテクチャである。
【図５】本発明に応じて、発展型汎用地上無線アクセスネットワーク（Evolved Universal Terrestrial Radio Access Network：EUTRAN）又は汎用地上無線アクセスネットワーク（Universal Terrestrial Radio Access Network：UTRAN）のカバーエリアにおいて家庭用基地局ゲートウェイがない場合の実施例である。
【図６】本発明に応じて、発展型汎用地上無線アクセスネットワーク（Evolved Universal Terrestrial Radio Access Network：EUTRAN）又は汎用地上無線アクセスネットワーク（Universal Terrestrial Radio Access Network：UTRAN）のカバーエリアにおいて家庭用基地局ゲートウェイがない場合の実施例である。
【図７】本発明に係る実施例の緊急サービスユーザの呼び出しシステムを示す図（家庭用基地局ゲートウェイなしの場合）である。
【図８】本発明に係る実施例の緊急サービスユーザの呼び出しシステムを示す図（家庭用基地局ゲートウェイなしの場合）である。
【発明を実施するための形態】
【００５０】
本発明において、移動性管理ユニットがコアネットワークにおいて呼び出し最適化をサポートするように構成される場合に、UEが緊急搬送サービスを有する場合、前記移動性管理ユニットは、呼び出し最適化を実行しない。具体的には、ネットワークアーキテクチャに家庭用基地局ゲートウェイなしの場合、コアネットワークゲートウェイは、UEに送信しようとするダウンリンクデータパケットを受信した後、前記ダウンリンクデータパケットによって搬送されたサービスデータが緊急サービスデータである場合、移動性管理ユニットに通知することであり、呼び出し最適化を利用するように構成された移動性管理ユニットは、UEに送信しようとする緊急サービスデータがあることを認識した後、呼び出しメッセージを前記UEによって新規登録された呼び出しトラッキングリストにおける、権限付与なしの前記UEの閉鎖モード家庭用基地局を含む全ての基地局に送信する。又は、呼び出し最適化を利用するように構成された移動性管理ユニットは、UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信する。
【００５１】
ネットワークアーキテクチャに家庭用基地局ゲートウェイありの場合、コアネットワークゲートウェイは、UEに送信しようとするダウンリンクデータパーケージを受信した後、前記ダウンリンクデータパケットによって搬送されたサービスデータが緊急サービスデータである場合、移動性管理ユニットに通知することであり、前記移動性管理ユニットは、UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知することであり、呼び出し最適化を利用するように構成された前記家庭用基地局ゲートウェイは、前記呼び出しメッセージ中のトラッキングエリアにおける、権限付与なしの当該UEの閉鎖モード家庭用基地局を含む全ての基地局を呼び出す。又は、移動性管理ユニットは、コアネットワークゲートウェイから送信されたダウンリンクデータ通知を受信した後、自体に保存されたユーザの現在のサービス情報を検査し、前記UEが現在緊急サービスを有することを発見した場合、呼び出しメッセージを前記UEによって新規登録された呼び出しトラッキングリストにおける全ての家庭用基地局ゲートウェイに送信し、前記呼び出しメッセージに緊急指示を含み、呼び出し最適化を利用するように構成された家庭用基地局ゲートウェイは、移動性管理ユニットから送信された呼び出しメッセージを受信した後、呼び出しメッセージにおいて、前記UEが現在緊急サービスを有することが指示されることを発見する場合、呼び出しメッセージ中のトラッキングエリアにおける、権限付与なしの当該UEの閉鎖モード家庭用基地局を含む全ての基地局を呼び出す。
【００５２】
以下、付図及び具体的な実施例を参照して本発明を詳細に説明する。
【００５３】
実施例１
本実施例は、EUTRAN又はUTRANのカバーエリアに応用され、図２に示すように、ネットワークアーキテクチャには、家庭用基地局とコアネットワークエレメントとが直接接続する。この場合に、既にコアネットワークと緊急サービスの搬送を確立したUEは、アイドル状態にあり、権限付与なしの当該UEの閉鎖モード家庭用基地局に常駐する。ダウンリンクの緊急サービスデータが当該搬送を介してUEに送信される必要がある場合、呼び出し最適化方法を利用するように構成されたMMEは、当該UEに対する呼び出しを開始する。図５に示すように、具体的に以下のステップを含む。
【００５４】
ステップ５０１において、コアネットワークゲートウェイ、即ちSAE-GWは、UEに送信必要なダウンリンクデータパケットを受信し、データパケットでのUE緊急サービス用アドレスである送信先アドレスに応じて、前記ダウンリンクデータパケットによって搬送されたサービスデータが緊急サービスデータであることを認識する。
【００５５】
ステップ５０２において、コアネットワークゲートウェイは、緊急指示を含むダウンリンクデータ通知を移動性管理ユニット（MME）に送信する。
【００５６】
ここで、コアネットワークゲートウェイは、前記ダウンリンクデータパケットによって搬送されたサービスデータが非緊急サービスデータであることを認識した場合、ダウンリンクデータ通知に非緊急指示を含んでもよい、又は、緊急指示又は非緊急指示を含まなくてもよい。
【００５７】
ステップ５０３において、移動性管理ユニットは、ダウンリンクデータ通知肯定応答 をゲートウェイに送信する。
【００５８】
ステップ５０４、呼び出し最適化を利用するように構成された移動性管理ユニットは、受信されたダウンリンクデータ通知における緊急指示に応じて、UEに送信しようとする緊急サービスデータがあることを認識した場合、前記UEによって新規登録された呼び出しトラッキングリストにおける、権限付与なしの当該UEの閉鎖モード家庭用基地局を含む全ての基地局を呼び出す。
【００５９】
ダウンリンクデータ通知メッセージがコアネットワークゲートウェイによってトンネルを介して送信されるため、メッセージに対応するトンネル識別子が含まれ、MMEにおいて、当該識別子がUEに対応するため、MMEは、当該メッセージがどのUEに対応することを認識できる。
【００６０】
ダウンリンクデータ通知が、ダウンリンクデータが非緊急サービスデータであることを示す場合、呼び出し最適化を利用するように構成された移動性管理ユニットは、呼び出し最適化方案を利用して、前記UEによって登録された呼び出しトラッキングリストにおける権限付与なしの当該UEの閉鎖モード家庭用基地局以外の他の全ての基地局を呼び出す。これによって、当該UEを呼び出すことができなく、正常サービスが動作できないことを引き起こす。
【００６１】
ステップ５０５において、閉鎖モード家庭用基地局は、権限付与なしの当該UEを呼び出す。
【００６２】
ステップ５０６において、UEは、呼び出しを受信した後、サービス要求プロセスを開始し、ネットワークとのエアインターフェース接続を確立し、コアネットワークゲートウェイから送信された緊急サービスダウンリンクデータを受信する。
【００６３】
実施例２
本実施例は、EUTRAN又はUTRANのカバーエリアに応用され、図２に示すように、ネットワークアーキテクチャには、家庭用基地局とコアネットワークエレメントとが直接接続する。この場合に、既にコアネットワークと緊急サービスの搬送を確立したUEは、アイドル状態にあり、権限付与なしの当該UEの閉鎖モード家庭用基地局に常駐する。ダウンリンクの緊急サービスデータが当該搬送を介してUEに送信される必要がある場合、呼び出し最適化方法を利用するように構成されたMMEは、当該UEに対する呼び出しを開始する。図６に示すように、具体的に以下のステップを含む。
【００６４】
ステップ６０１において、コアネットワークゲートウェイ、即ちSAE-GWは、UEに送信必要なダウンリンクデータパケットを受信する。
【００６５】
本実施例において、コアネットワークゲートウェイは、ダウンリンクデータパケットによって搬送されたサービスデータが緊急サービスデータであるかどうかを検査する必要がない。
【００６６】
ステップ６０２において、コアネットワークゲートウェイは、ダウンリンクデータ通知を移動性管理ユニット（MME）に送信する。
【００６７】
ステップ６０３において、移動性管理ユニットは、ダウンリンクデータ通知肯定応答 をゲートウェイに送信する。
【００６８】
ステップ６０４において、呼び出し最適化を利用するように構成された移動性管理ユニットは、受信されたダウンリンクデータ通知に応じて、UEに送信しようとするサービスデータがあることを認識した後、前記UEの現在のサービスタイプが緊急サービスを有することを検査し、検査方法は、ユーザの現在のサービスのAPNが緊急APNであることを検査するであってもよい、又は、ユーザの現在のサービスの割り当て/保持優先度（Allocation and Retention Priority：ARP）が緊急サービス専用ARPであることを検査することであってもよい、呼び出しメッセージを前記UEによって新規登録された呼び出しトラッキングリストにおける、権限付与なしの前記UEの閉鎖モード家庭用基地局を含む全ての基地局を送信する。
【００６９】
UEに送信しようとするサービスデータが非緊急サービスデータであり、この時に移動性管理ユニットに保存されるUEの現在サービス情報が、UEが現在緊急サービスを有する（即ち緊急APN又は緊急サービス専用ARPを有する）ことを示す場合、UEによって新規登録された呼び出しトラッキングリストにおける全ての基地局を呼び出すことができる。
【００７０】
ステップ６０５において、閉鎖モード家庭用基地局は、権限付与なしの当該UEを呼び出す。
【００７１】
ステップ６０６において、UEは、呼び出しを受信した後、サービス要求プロセスを開始し、ネットワークとのエアインターフェース接続を確立し、コアネットワークゲートウェイから送信された緊急サービスダウンリンクデータを受信する。
【００７２】
実施例３
本実施例は、EUTRAN又はUTRANのカバーエリアに応用され、図１、３又は４に示すように、ネットワークアーキテクチャには、家庭用基地局とコアネットワークネットワークエレメントとが家庭用基地局ゲートウェイを介して接続される。この場合に、既にコアネットワークと緊急サービスの搬送を確立したUEは、アイドル状態にあり、権限付与なしの当該UEの閉鎖モード家庭用基地局に常駐する。ダウンリンクの緊急サービスデータが当該搬送を介してUEに送信される必要がある場合、呼び出し最適化方法を利用するように構成されたMME／SGSN及び家庭用基地局ゲートウェイは、当該UEに対する呼び出しを開始する。図７に示すように、具体的に以下のステップを含む。
【００７３】
ステップ７０１において、コアネットワークゲートウェイ、例えばLTEアクセス場合のSAE-GW、又は3Gアクセス場合のGGSNは、UEに送信必要なダウンリンクデータパケットを受信し、データパケットでのUEの緊急サービス用アドレスである送信先アドレスに応じて、前記ダウンリンクデータパケットによって搬送されたサービスデータが緊急サービスデータであることを認識する。
【００７４】
ステップ７０２において、コアネットワークゲートウェイは、緊急指示を含むダウンリンクデータ通知を移動性管理ユニット（MME又はSGSN）に送信する。
【００７５】
ここで、コアネットワークゲートウェイは、前記ダウンリンクデータパケットによって搬送されたサービスデータが非緊急サービスデータであることを認識した場合、ダウンリンクデータ通知に非緊急指示を含んでもよい、又は、緊急指示又は非緊急指示を含まなくてもよい。
【００７６】
ステップ７０３において、移動性管理ユニットは、ダウンリンクデータ通知肯定応答 をゲートウェイに送信する。
【００７７】
ステップ７０４において、移動性管理ユニットは、受信されたダウンリンクデータ通知における緊急指示に応じて、UEに送信しようとする緊急サービスデータがあることを認識した場合、前記UEによって新規登録された呼び出しトラッキングリストにおける、権限付与なしの当該UEの閉鎖モード家庭用基地局に対応する家庭用基地局ゲートウェイを含む全ての家庭用基地局ゲートウェイを呼び出す。前記呼び出しメッセージに緊急指示、及び前記UEによって新規登録されたトラッキングエリアリストにおける前記家庭用基地局ゲートウェイが位置するトラッキングエリアが含まれる。
【００７８】
ここで、移動性管理ユニットによって受信されたダウンリンクデータ通知に、非緊急指示を含み、又は、緊急指示又は非緊急指示を含まない場合、移動性管理ユニットは、前記呼び出しメッセージに非緊急指示を含んでもよいし、又は、緊急指示又は非緊急指示を含まなくてもよいし、家庭用基地局に送信する。
【００７９】
前記移動性管理ユニットは、呼び出し最適化を利用するように構成された移動性管理ユニットである場合、受信されたダウンリンクデータ通知に応じて、当該UEによって新規登録されたトラッキングエリアリストにおける家庭用基地局ゲートウェイの一部を呼び出すかどうかを判断し、これらの家庭用基地局ゲートウェイが当該UEによって新規登録されたトラッキングエリアリストにおける権限付与なしの当該UEの閉鎖モード家庭用基地局のみに接続する。ダウンリンクデータ通知に、非緊急指示を含み、又は、緊急指示又は非緊急指示を含まない場合、当該UEによって新規登録されたトラッキングエリアリストにおける権限付与なしの当該UEの閉鎖モード家庭用基地局のみに対応する家庭用基地局ゲートウェイを呼び出さないが、当該UEによって新規登録されたトラッキングエリアリストにおける上記家庭用基地局ゲートウェイ以外の他の家庭用基地局ゲートウェイを呼び出すことを選択する。ダウンリンクデータ通知に緊急指示を含む場合、当該UEによって新規登録されたトラッキングエリアリストにおける全ての家庭用基地局ゲートウェイを呼び出すことを選択する。
【００８０】
前記移動性管理ユニットは、呼び出し最適化を利用しない移動性管理ユニットである場合、前記UEによって新規登録された呼び出しトラッキングリストにおける全ての家庭用基地局ゲートウェイを直接に呼び出す。
【００８１】
ステップ７０５において、呼び出し最適化方法を利用するように構成された家庭用基地局ゲートウェイ（HeNB GW/HNB GW）は、移動性管理ユニットから送信された呼び出しメッセージを受信した後、呼び出しメッセージにおける緊急指示に応じて、前記呼び出しメッセージ中の前記トラッキングエリアにおける、権限付与なしの当該UEの閉鎖モード家庭用基地局を含む全ての基地局を呼び出す。
【００８２】
前記呼び出しメッセージに、非緊急指示を含み、又は緊急指示又は非緊急指示を含まない場合、家庭用基地局ゲートウェイは、権限付与なしの当該UEの閉鎖モード家庭用基地局を呼び出さない、この場合に、UEは正常サービスを利用できない。
【００８３】
ステップ７０６において、閉鎖モード家庭用基地局は、権限付与なしの当該UEを呼び出す。
【００８４】
ステップ７０７において、UEは、呼び出しを受信した後、サービス要求プロセスを開始し、ネットワークとのエアインターフェース接続を確立し、コアネットワークゲートウェイから送信された緊急サービスダウンリンクデータを受信する。
【００８５】
実施例４
本実施例は、EUTRAN又はUTRANのカバーエリアに応用され、図１、３又は４に示すように、ネットワークアーキテクチャには、家庭用基地局とコアネットワークネットワークエレメントとが家庭用基地局ゲートウェイを介して接続される。この場合に、既にコアネットワークと緊急サービスの搬送を確立したUEは、アイドル状態にあり、権限付与なしの当該UEの閉鎖モード家庭用基地局に常駐する。ダウンリンクの緊急サービスデータが当該搬送を介してUEに送信される必要がある場合、呼び出し最適化方法を利用するように構成されたMME／SGSN及び家庭用基地局ゲートウェイは、当該UEに対する呼び出しを開始する。図８に示すように、具体的に以下のステップを含む。
【００８６】
ステップ８０１において、コアネットワークゲートウェイ、例えばLTEアクセス場合のSAE-GW、又は3Gアクセス場合のGGSNは、UEに送信必要なダウンリンクデータパケットを受信する。
【００８７】
本実施例において、コアネットワークネットワークゲートウェイは、ダウンリンクデータパケットによって搬送されたサービスデータが緊急サービスデータであるかどうかを検査する必要がない。
【００８８】
ステップ８０２において、コアネットワークゲートウェイは、ダウンリンクデータ通知を移動性管理ユニット（MME又はSGSN）に送信する。
【００８９】
ステップ８０３において、移動性管理ユニットは、ダウンリンクデータ通知肯定応答 をゲートウェイに送信する。
【００９０】
ステップ８０４において、前記移動性管理ユニットは、UEに送信しようとするサービスデータがあることを認識した後、前記UEの現在のサービスタイプを検査し、自体に保存されたUEサービス情報における緊急APN又は緊急サービス専用ARPに応じて、UEが現在緊急サービスを有することを発見する場合、緊急指示及び前記UEによって新規登録されたトラッキングエリアリストにおける前記家庭用基地局ゲートウェイが位置するトラッキングエリアを含む呼び出しメッセージを前記UEによって新規登録された呼び出しトラッキングリストにおける全ての家庭用基地局ゲートウェイに送信する。
【００９１】
前記移動性管理ユニットは、呼び出し最適化を利用するように構成された移動性管理ユニットである場合、UEの現在のサービスタイプに緊急サービスがあるかどうかを介して、当該UEによって新規登録されたトラッキングエリアリストにおける家庭用基地局ゲートウェイの一部を呼び出すかどうかを判断し、これらの家庭用基地局ゲートウェイが当該UEによって新規登録されたトラッキングエリアリストにおける、権限付与なしの当該UEの閉鎖モード家庭用基地局のみに接続する。UEの現在のサービスタイプに緊急サービスがない場合、当該UEによって新規登録されたトラッキングエリアリストおける権限付与なしの当該UEの閉鎖モード家庭用基地局のみに対応する家庭用基地局ゲートウェイを呼び出さないが、当該UEによって新規登録されたトラッキングエリアリストおける上記家庭用基地局ゲートウェイ以外の他の家庭用基地局ゲートウェイを呼び出すことを選択する。UEの現在のサービスタイプに緊急サービスがある場合、当該UEによって新規登録されたトラッキングエリアリストにおける全ての家庭用基地局ゲートウェイを呼び出すことを選択し、且つ呼び出しメッセージに緊急指示を含む。
【００９２】
前記移動性管理ユニットは、呼び出し最適化を利用しない移動性管理ユニットである場合、前記UEによって新規登録された呼び出しトラッキングリストにおける全ての家庭用基地局ゲートウェイを直接に呼び出し、UEの現在のサービスタイプに緊急サービスがある場合、呼び出しメッセージに緊急指示を含む。
【００９３】
ステップ８０５において、呼び出し最適化方法を利用するように構成された家庭用基地局ゲートウェイは、移動性管理ユニットから送信された呼び出しメッセージを受信した後、その中の緊急指示に応じて、前記呼び出しメッセージ中の前記トラッキングエリアにおける、権限付与なしの当該UEの閉鎖モード家庭用基地局を含む全ての基地局を呼び出す。
【００９４】
受信された、移動性管理ユニットから送信された呼び出しメッセージに、緊急指示を含まない場合、家庭用基地局ゲートウェイは呼び出し最適化を実行し、即ち、呼び出しメッセージを権限付与なしの当該UEの閉鎖モード家庭用基地局に送信しない、この場合に、当該UEは正常サービスを行うことができない。
【００９５】
ステップ８０６において、権限付与なしの当該UEの閉鎖モード家庭用基地局は、権限付与なしの当該UEを呼び出す。
【００９６】
ステップ８０７において、UEは、呼び出しを受信した後、サービス要求プロセスを開始し、ネットワークとのエアインターフェース接続を確立し、コアネットワークゲートウェイから送信された緊急サービスダウンリンクデータを受信する。
【００９７】
本発明に係る実施例の緊急サービスユーザの呼び出しシステム（家庭用基地局ゲートウェイなしの場合）は、コアネットワークゲートウェイと、移動性管理ユニットと閉鎖モード家庭用基地局とを含む。
【００９８】
前記コアネットワークゲートウェイは、UEに送信しようとするダウンリンクデータパケットを受信した後、ダウンリンクデータパケットによって搬送されたサービスデータが緊急サービスデータである場合、移動性管理ユニットに通知することに用いられる。
【００９９】
既に呼び出し最適化を利用するように構成された前記移動性管理ユニットは、UEに送信しようとする緊急サービスデータがあることを認識した後、呼び出しメッセージを送信して、前記UEによって新規登録された呼び出しトラッキングリストにおける、権限付与なしの当該UEの閉鎖モード家庭用基地局を含む全ての基地局を呼び出すことに用いられる。
【０１００】
前記閉鎖モード家庭用基地局は、受信された呼び出しメッセージに応じて、前記UEを呼び出すことに用いられる。
【０１０１】
前記コアネットワークゲートウェイは、緊急指示を含むダウンリンクデータ通知を前記移動性管理ユニットに送信することで、UEに送信しようとする緊急サービスデータがあることを前記移動性管理ユニットに通知することに更に用いられる。
【０１０２】
本発明に係る実施例の緊急サービスユーザの呼び出しシステム（家庭用基地局ゲートウェイなしの場合）は、移動性管理ユニットと閉鎖モード家庭用基地局とを含む。
【０１０３】
既に呼び出し最適化を利用するように構成された前記移動性管理ユニットは、UEに送信しようとするサービスデータがあることを認識した後、前記UEの現在のサービスタイプを検査し、前記UEが現在緊急サービスを有することを発見した場合、呼び出しメッセージを前記UEによって新規登録された呼び出しトラッキングリストにおける、権限付与なしの前記UEの閉鎖モード家庭用基地局を含む全ての基地局に送信することに用いられる。
【０１０４】
前記権限付与なしの当該UEの前記閉鎖モード家庭用基地局は、受信された呼び出しメッセージに応じて、前記UEを呼び出すことに用いられる。
【０１０５】
本発明に係る実施例の緊急サービスユーザの呼び出しシステム（家庭用基地局ゲートウェイありの場合）は、コアネットワークゲートウェイと、移動性管理ユニットと、家庭用基地局ゲートウェイと、閉鎖モード家庭用基地局とを含む。
【０１０６】
前記コアネットワークゲートウェイは、UEに送信しようとするダウンリンクデータパケットを受信した後、前記ダウンリンクデータパケットによって搬送されたサービスデータが緊急サービスデータである場合、移動性管理ユニットに通知することに用いられる。
【０１０７】
前記移動性管理ユニットは、UEに送信しようとする緊急サービスデータがあることを認識した後、呼び出しメッセージを前記UEによって新規登録された呼び出しトラッキングリストにおける全ての家庭用基地局ゲートウェイに送信し、UEに送信しようとする緊急サービスデータがあることを前記家庭用基地局ゲートウェイに通知することに用いられる。
【０１０８】
既に呼び出し最適化を利用するように構成された前記家庭用基地局は、受信された呼び出しメッセージに応じて、呼び出しメッセージを送信し、権限付与なしの当該UEの閉鎖モード家庭用基地局を含む対応する基地局を呼び出す。
【０１０９】
前記閉鎖モード家庭用基地局は、受信された呼び出しメッセージに応じて、前記UEを呼び出すことに用いられる。
【０１１０】
前記コアネットワークゲートウェイは、緊急指示を含むダウンリンクデータ通知を前記移動性管理ユニットに送信することで、UEに送信しようとする緊急サービスデータがあることを前記移動性管理ユニットに通知することに更に用いられる。
【０１１１】
前記移動性管理ユニットは、前記呼び出しメッセージに緊急指示及び前記UEによって新規登録されたトラッキングエリアリストにおける前記家庭用基地局ゲートウェイが位置するトラッキングエリアを含んで、前記家庭用基地局ゲートウェイに送信し、UEに送信しようとする緊急サービスデータがあることを前記家庭用基地局ゲートウェイに通知することに更に用いられる。
【０１１２】
前記家庭用基地局ゲートウェイは、前記呼び出しメッセージにおける緊急指示に応じて、UEに送信しようとする緊急サービスデータがあることを認識し、且つ前記呼び出しメッセージ中の前記トラッキングエリアにおける全ての基地局を呼び出すことに更に用いられる。
【０１１３】
本発明に係る実施例の緊急サービスユーザの呼び出しシステム（家庭用基地局ゲートウェイありの場合）は、コアネットワークゲートウェイと、移動性管理ユニットと、家庭用基地局ゲートウェイ、と閉鎖モード家庭用基地局とを含む。
【０１１４】
前記移動性管理ユニットは、コアネットワークゲートウェイから送信されたダウンリンクデータ通知を受信した後、前記UEの現在のサービスタイプを検査し、前記UEが現在緊急サービスを有することを発見した場合、UEによって新規登録されたトラッキングエリアリストにおける全ての家庭用基地局ゲートウェイを呼び出し、且つ呼び出しメッセージに緊急指示を含むことに用いられる。
【０１１５】
既に呼び出し最適化を利用するように構成された前記家庭用基地局ゲートウェイは、前記呼び出しメッセージを受信した後、その中の緊急指示に応じて、前記呼び出しメッセージ中のトラッキングエリアにおける、権限付与なしの当該UEの閉鎖モード家庭用基地局を含む全ての基地局を呼び出すことに用いられる。
【０１１６】
前記閉鎖モード家庭用基地局は、受信された呼び出しメッセージに応じて、前記UEを呼び出すことに用いられる。
【０１１７】
もちろん、本発明は、他の様々な実施例をあり、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
0005484581.tif 000002
【図２】
0005484581.tif 000003
【図３】
0005484581.tif 000004
【図４】
0005484581.tif 000005
【図５】
0005484581.tif 000006
【図６】
0005484581.tif 000007
【図７】
0005484581.tif 000008
【図８】
0005484581.tif 000009